(57)【要約】【課題】棚板上に配置する電気回路基板や配線などの設置スペースを広く取ることができる電子鍵盤楽器を提供すること。【解決手段】楽器筐体２と、楽器筐体２の前部に配置された鍵盤１１と、鍵盤１１の下部を支持しており、後端が鍵盤１１の後方まで延びた棚板１９と、棚板１９の下部に設けられており、低音用スピーカユニットが収容された収容体９と、棚板１９のうち鍵盤１１よりも後方に位置する部分から起立しており、収容体９と連通するバスレフポート１７，１８とを備える。棚板１９の上面には従来のようなスピーカカバーが配置されていないため、電気回路基板や配線などの設置スペースを広く取ることができる。【選択図】図２
2018081164.tif 000002
【特許請求の範囲】
【請求項１】
楽器筐体と、
前記楽器筐体の前部に配置された鍵盤と、
前記鍵盤の下部を支持しており、後端が前記鍵盤の後方まで延びた棚板と、
前記棚板の下部に設けられており、低音用スピーカユニットが収容された収容体と、
前記棚板のうち前記鍵盤よりも後方に位置する部分から起立しており、前記収容体と連通するバスレフポートと、
を備えることを特徴とする電子鍵盤楽器。
【請求項２】
前記バスレフポートと前記棚板とは別部材であり、
前記棚板のうち前記鍵盤よりも後方に位置する部分には前記収容体と連通する貫通孔が形成されており、
前記貫通孔の内壁には前記バスレフポートの下端を支持するための支持構造が設けられており、
前記貫通孔に挿入された前記バスレフポートの下端が前記支持構造により支持されていることを特徴とする請求項１に記載の電子鍵盤楽器。
【請求項３】
前記鍵盤を覆う鍵盤蓋が前後にスライド可能に設けられており、
後ろにスライドした前記鍵盤蓋の下方に前記バスレフポートが位置することを特徴とする請求項１または請求項２に記載の電子鍵盤楽器。
【発明の詳細な説明】
【技術分野】
【０００１】
この発明は、低音用スピーカユニットを備えた電子鍵盤楽器に関する。
【背景技術】
【０００２】
従来、この種の電子鍵盤楽器として、本体ケース（楽器筐体）内部に設けられた底板と、この底板の上方に設けられた棚板と、この棚板と底板との間に設けられた低音用スピーカユニットと、棚板から上方に突出して設けられたプラスチック製のスピーカカバーと、このスピーカカバーに設けられたポート（バスレフポート）とを備えたものが知られている（特許文献１）。
【先行技術文献】
【特許文献】
【０００３】
【特許文献１】特開平１１―２１９１８０号公報（第３０段落、図３）。
【発明の概要】
【発明が解決しようとする課題】
【０００４】
しかし、上述した従来の電子鍵盤楽器は、棚板から上方に突出して設けられたスピーカカバーが棚板上のスペースを大きく占有しているため、棚板上に設ける電気回路基板および配線などの設置スペースを広く取ることができないという問題がある。
【０００５】
そこで、この発明は、上記の問題を解決するために提案されたものであって、棚板上に配置する電気回路基板や配線などの設置スペースを広く取ることができる電子鍵盤楽器を提供することを目的とする。
【課題を解決するための手段】
【０００６】
上述した目的を達成するため、この出願に係る発明の電子鍵盤楽器は、楽器筐体と、  楽器筐体の前部に配置された鍵盤と、鍵盤の下部を支持しており、後端が前記鍵盤の後方まで延びた棚板と、棚板の下部に設けられており、低音用スピーカユニットが収容された収容体と、棚板のうち鍵盤よりも後方に位置する部分から起立しており、収容体と連通するバスレフポートと、を備えるという第１の特徴を備える。
【０００７】
低音用スピーカユニットが収容された収容体は棚板の下部に設けられており、バスレフポートが、棚板のうち鍵盤よりも後方に位置する部分から起立している。
つまり、スピーカカバーを棚板上に設ける必要がなく、バスレフポートが棚板から起立しているだけである。
したがって、棚板上に設ける電気回路基板および配線などの設置スペースを広く取ることができる。
【０００８】
また、この出願に係る発明の電子鍵盤楽器は、バスレフポートと棚板とは別部材であり、棚板のうち鍵盤よりも後方に位置する部分には収容体と連通する貫通孔が形成されており、貫通孔の内壁にはバスレフポートの下端を支持するための支持構造が設けられており、貫通孔に挿入されたバスレフポートの下端が支持構造により支持されていることを第２の特徴とする。
【０００９】
バスレフポートを貫通孔に挿入すると、バスレフポートの下端が貫通孔の内壁に設けられた支持構造によって支持されるため、バスレフポートを貫通孔に挿入するだけでバスレフポートが棚板から起立した状態に位置決めすることができる。
したがって、棚板に対するバスレフポートの取付作業効率を高めることができる。また、バスレフポートと棚板を別部材として扱えるため、運搬、組立工程において棚板を板材として重ねることができ、棚板を重ねてもかさばらず、部品材料の保管効率をも高めることができる。
【００１０】
また、この出願に係る発明の電子鍵盤楽器は、鍵盤を覆う鍵盤蓋が前後にスライド可能に設けられており、後ろにスライドした鍵盤蓋の下方にバスレフポートの上端が位置することを第３の特徴とする。
【００１１】
後ろにスライドした鍵盤蓋の下方に起立したバスレフポートの上端が位置するため、鍵盤蓋の後端とバスレフポートの上端とが干渉しない。
しかも、バスレフポートの上端の開口面から放音された低音が、後ろにスライドした鍵盤蓋の下面で反射して拡散するため、低音を効率良く奏者方向へ届けることができる。また、鍵盤の使用時と不使用時で低音の響き方を異ならせることができる。
【発明の効果】
【００１２】
この出願に係る発明の電子鍵盤楽器を実施すれば、棚板上に配置する電気回路基板や配線などの設置スペースを広く取ることができる。
【図面の簡単な説明】
【００１３】
【図１】第１実施形態に係る電子鍵盤楽器の斜視図である。
【図２】図１に示す電子鍵盤楽器において、後ろへスライドした鍵盤蓋およびバスレフポートの位置関係を示す斜視図である。
【図３】図１に示す電子鍵盤楽器において、バスレフポートの取付位置を示す平面図である。
【図４】図１に示す電子鍵盤楽器において、低音用スピーカユニットの取付位置を示す正面図である。
【図５】図４のＡ−Ａ矢視断面図である。
【図６】（ａ）はバスレフポートの斜視図、（ｂ）は棚板の貫通孔の縦断面図、（ｃ）は棚板に取付けられたバスレフポートの平面図、（ｄ）は（ｃ）のＢ−Ｂ矢視断面図である。
【発明を実施するための形態】
【００１４】
［電子鍵盤楽器１の概略構成］
この発明の第１実施形態に係る電子鍵盤楽器１の概略構成について図に基づいて説明する。図１は、この実施形態に係る電子鍵盤楽器１の斜視図である。
なお、以下の説明では、電子鍵盤楽器１の奏者に近い方を前方または前部といい、その反対方向を後方または後部という。
【００１５】
電子鍵盤楽器１は、楽器筐体２と、楽器筐体２の前部に配置された鍵盤１１と、ソフトペダル１３と、マフラーペダル１４と、ダンパーペダル１５と、鍵盤蓋１６とを備える。楽器筐体２は、右親板３と、左親板４と、右脚５と、左脚６と、口棒７と、上前板８と、屋根板１０とを備える。楽器筐体２のうち、右側に配置された右親板３と左側に配置された左親板４との間であって鍵盤１１の前端下部には、左右方向に延びる口棒７が設けられている。右親板３の前部には、右脚５が形成されており、左親板４の前部には左脚６が形成されている。右親板３と左親板４との間であって鍵盤１１の後方下部には左右の低音用スピーカユニット（図４において符号２３，２４で示す）が収容された収容体９が設けられている。収容体９の下部には、ソフトペダル１３と、マフラーペダル１４と、ダンパーペダル１５とが前方へ突出した形態で配置されている。右親板３と左親板４との間であって鍵盤１１の後方上部には上前板８が取付けられている。上前板８の上部であって右親板３および左親板４の各上端間には、屋根板１０が取付けられている。屋根板１０の中央には、譜面台１２が取付けられている。
図５は図４のＡ−Ａ矢視断面図である。同図に示すように、電子鍵盤楽器１は、鍵盤１１を下から支持する棚板１９と、背面に設けられた背面板２０とを備える。図５に示すように、鍵盤蓋１６は、スライド機構２７によって前後にスライド可能に構成されている。同図は、鍵盤蓋１６が後ろへスライドし、鍵盤１１が露出した状態を示す。
【００１６】
［バスレフポート１７，１８の取付構造］
次に、バスレフポート１７，１８の取付構造について図に基づいて説明する。
図２は、図１に示す電子鍵盤楽器において、後ろへスライドした鍵盤蓋およびバスレフポートの位置関係を示す斜視図である。図３は、図１に示す電子鍵盤楽器において、バスレフポートの取付位置を示す平面図である。図４は、図１に示す電子鍵盤楽器において、低音用スピーカユニットの取付位置を示す正面図である。図５は、図４のＡ−Ａ矢視断面図である。図６（ａ）はバスレフポートの斜視図、（ｂ）は棚板の貫通孔の縦断面図、（ｃ）は棚板に取付けられたバスレフポートの平面図、（ｄ）は（ｃ）のＢ−Ｂ矢視断面図である。
【００１７】
図４に示すように、電子鍵盤楽器１は、低音用スピーカユニットが収容された収容体９を備える。収容体９は、木製の板状部材によって形成されており、左右方向に延びた箱状を呈している。図５に示すように、収容体９は、棚板１９の下面のうち、後方の下面に取付けられている。収容体９の内部空間は、右チャンネル用の内部空間２６と、左チャンネル用の内部空間２５とに仕切られている。右チャンネル用の内部空間２６には、右チャンネル用の低音用スピーカユニット２４が収容されており、左チャンネル用の内部空間２５には、左チャンネル用の低音用スピーカユニット２３が収容されている。
図５に示すように、右チャンネル用の低音用スピーカユニット２４は、右チャンネル用の内部空間２６において真下を向いた状態から前端を少し持ち上げた姿勢で収容されており、右チャンネルの低音を真下よりも少し斜め前方へ放音するようになっている。収容体９のうち、右チャンネル用の低音用スピーカユニット２４と対向する部分には、右チャンネル用の低音用スピーカユニット２４が放音するための放音口２２が開口形成されている。放音口２２は、サランネット（図示省略）によって覆われている。
【００１８】
図示しないが、左チャンネル用の低音用スピーカユニット２３は、右チャンネル用の低音用スピーカユニット２４と同じ姿勢で左チャンネル用の内部空間２５に収容されている。図４に示すように、収容体９のうち、左チャンネル用の低音用スピーカユニット２３と対向する部分には、左チャンネル用の低音用スピーカユニット２３が放音するための放音口２１が開口形成されており、その放音口２１はサランネット（図示省略）によって覆われている。また、図５に示すように、屋根板１０の右方の下面には、右チャンネル用の高音用スピーカユニット２８が、前方へ放音する姿勢で取付けられている。また、図示しないが、屋根板１０の左方の下面には、左チャンネル用の高音用スピーカユニットが、前方へ放音する姿勢で取付けられている。
【００１９】
図５に示すように、棚板１９のうち、鍵盤１１よりも後方に位置する部分であって、右チャンネル用の低音用スピーカユニット２４の上方に対応する部分から、バスレフポート１８が起立している。バスレフポート１８および棚板１９は別部材であり、バスレフポート１８は、右チャンネル用の内部空間２６と連通している。つまり、右チャンネル用の低音用スピーカユニット２４が動作したときに右チャンネル用の内部空間２６に発生した低音をバスレフポート１８から上方へ放音する構造になっている。また、バスレフポート１８の上端と、後ろにスライドした鍵盤蓋１６の下面との間には空間が形成されており、バスレフポート１８の上端と、後ろにスライドした鍵盤蓋１６とが干渉しない構造になっている。また、バスレフポート１８から上方へ放音された低音を、後ろにスライドした鍵盤蓋１６の下面で反射させて拡散することができる構造になっている。
【００２０】
図２および図３に示すように、鍵盤１１よりも後方に位置する部分であって、左チャンネル用の低音用スピーカユニット２３（図４）の上方に対応する部分から、バスレフポート１７が起立している。バスレフポート１７は、左チャンネル用の内部空間２５（図４）と連通している。つまり、左チャンネル用の低音用スピーカユニット２３が動作したときに左チャンネル用の内部空間２５に発生した低音をバスレフポート１７から上方へ放音する構造になっている。また、バスレフポート１７の上端と、後ろにスライドした鍵盤蓋１６の下面との間には空間が形成されており、バスレフポート１７の上端と、後ろにスライドした鍵盤蓋１６とが干渉しない構造になっている。また、バスレフポート１７から上方へ放音された低音を、後ろにスライドした鍵盤蓋１６の下面で反射させて拡散することができる構造になっている。
また、図３では、棚板１９の上面に配置される回路基板および配線などを省略しているが、棚板１９から起立したバスレフポート１７，１８が占める空間領域は僅かであるため、上記の回路基板および配線などの設置スペースを広く取ることができる。
【００２１】
図６（ａ）に示すように、バスレフポート１８は上端１８ａに開口面１８ｂを有し、下端１８ｃに開口面１８ｄを有する円筒形状に形成されている。同図（ｂ）に示すように、棚板１９には、その上面１９ａおよび下面１９ｂ間を貫通する貫通孔１９ｃが形成されている。貫通孔１９ｃの上部の開口面は、バスレフポート１８の下端１８ｃを挿入可能な円形に形成されており、その直径は下端１８ｃの外径よりも僅かに小さい。また、貫通孔１９ｃの内壁１９ｄには、貫通孔１９ｃに挿入されたバスレフポート１８の下端１８ｃを支持するための段部１９ｅが形成されている。段部１９ｅの幅は、バスレフポート１８の下端１８ｃの肉厚以下に設定されている。この実施形態では、段部１９ｅは、内壁１９ｄに沿って円環状に連続形成されているが、内壁１９ｄに沿って複数箇所に不連続に形成することもできる。
同図（ｄ）に示すように、貫通孔１９ｃに挿入されたバスレフポート１８は、その下端１８ｃが段部１９ｅによって支持された状態になっている。つまり、バスレフポート１８の下端１８ｃを貫通孔１９ｃに挿入すれば、下端１８ｃが段部１９ｅによって支持された状態になるため、バスレフポート１８を容易に貫通孔１９ｃに位置決めし、取付けることができる。
【００２２】
また、バスレフポート１８の外周面と貫通孔１９ｃとの境界には接着剤が塗布されており、これによってバスレフポート１８が貫通孔１９ｃに固定されている。また、その接着剤によってバスレフポート１８の外周面と貫通孔１９ｃとの境界に形成される隙間が封止されている。つまり、右チャンネル用の低音用スピーカユニット２４が動作したときに右チャンネル用の内部空間２６の空気が上記の隙間から漏れることにより、バスレフ効果が小さくならないように工夫されている。
図示しないが、棚板１９には、バスレフポート１７を取付けるための貫通孔として貫通孔１９ｃと同じ構造の貫通孔が形成されており、バスレフポート１７もバスレフポート１８と同様に上記貫通孔に取付けられている。また、バスレフポート１７もバスレフポート１８と同様に接着剤によって貫通孔に固定されており、かつ、貫通孔との隙間が封止されている。
【００２３】
［実施形態の効果］
（１）上述した実施形態の電子鍵盤楽器１を実施すれば、従来のように、スピーカカバーを棚板１９上に設ける必要がなく、バスレフポート１７，１８が棚板１９から起立しているだけであるため、棚板１９上に設ける電気回路基板および配線などの設置スペースを広く取ることができる。
【００２４】
（２）また、上述した実施形態の電子鍵盤楽器１を実施すれば、バスレフポート１７，１８をそれぞれ対応する貫通孔に挿入すると、バスレフポート１７，１８の下端がそれぞれ貫通孔の内壁の段部によって支持されるため、バスレフポート１７，１８を貫通孔に挿入するだけでバスレフポート１７，１８が棚板１９から起立した状態に位置決めすることができる。
したがって、棚板１９に対するバスレフポート１７，１８の取付作業効率を高めることができる。また、バスレフポートと棚板を別部材として扱えるため、運搬、組立工程において棚板を板材として重ねることができ、棚板を重ねてもかさばらず、部品材料の保管効率をも高めることができる。
【００２５】
（３）さらに、上述した実施形態の電子鍵盤楽器１を実施すれば、後ろにスライドした鍵盤蓋１６の下方に起立したバスレフポート１７，１８の上端が位置するため、鍵盤蓋１６の後端とバスレフポート１７，１８の各上端とが干渉しない。
しかも、バスレフポート１７，１８の各上端の各開口面から放音された低音が、後ろにスライドした鍵盤蓋１６の下面で反射して拡散するため、低音を効率良く奏者方向へ届けることができ、また、鍵盤の使用時と不使用時で低音の響き方を異ならせることができる。
【００２６】
〈他の実施形態〉
棚板１９の貫通孔の内壁において所定個所から貫通孔の上端まで延びた凹部を形成し、上記凹部に嵌合する凸部をバスレフポートの外周面の下端から所定の高さまで形成し、バスレフポートの上記凸部が貫通孔の上記凹部に嵌合するように、バスレフポートを貫通孔に挿入して取付ける構造でも良い。
【００２７】
［特許請求の範囲との対応関係］
段部１９ｅが請求項２に記載の支持構造に対応する。
【符号の説明】
【００２８】
１    電子鍵盤楽器
２    楽器筐体
９    収容体
１１    鍵盤
１６    鍵盤蓋
１７，１８  バスレフポート
１９    棚板
１９ｃ  貫通孔
１９ｄ  内壁
１９ｅ  段部
２３    左チャンネル用の低音用スピーカユニット
２４    右チャンネル用の低音用スピーカユニット
【図１】
2018081164.tif 000003
【図２】
2018081164.tif 000004
【図３】
2018081164.tif 000005
【図４】
2018081164.tif 000006
【図５】
2018081164.tif 000007
【図６】
2018081164.tif 000008
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
楽器筐体と、
前記楽器筐体の前部に配置された鍵盤と、
前記鍵盤の下部を支持しており、後端が前記鍵盤の後方まで延びた棚板と、
前記棚板の下部に設けられており、低音用スピーカユニットが収容された収容体と、
前記棚板のうち前記鍵盤よりも後方に位置する部分から起立しており、前記収容体と連通するバスレフポートと、
を備えることを特徴とする電子鍵盤楽器。
【請求項２】
前記バスレフポートと前記棚板とは別部材であり、
前記棚板のうち前記鍵盤よりも後方に位置する部分には前記収容体と連通する貫通孔が形成されており、
前記貫通孔の内壁には前記バスレフポートの下端を支持するための支持構造が設けられており、
前記貫通孔に挿入された前記バスレフポートの下端が前記支持構造により支持されていることを特徴とする請求項１に記載の電子鍵盤楽器。
【請求項３】
前記鍵盤を覆う鍵盤蓋が前後にスライド可能に設けられており、
後ろにスライドした前記鍵盤蓋の下方に前記バスレフポートの上端が位置することを特徴とする請求項１または請求項２に記載の電子鍵盤楽器。
【手続補正２】
【補正対象書類名】明細書
【補正対象項目名】０００７
【補正方法】変更
【補正の内容】
【０００７】
低音用スピーカユニットが収容された収容体は棚板の下部に設けられており、バスレフポートが、棚板のうち鍵盤よりも後方に位置する部分から起立している。
つまり、スピーカカバーを棚板上に設ける必要がなく、バスレフポートが棚板から起立しているだけである。
したがって、棚板上に設ける電気回路基板および配線などの設置スペースを広く取ることができる。
さらに、バスレフポートから上方へ放音された低音を効率的に奏者に届けることができる。
【手続補正３】
【補正対象書類名】明細書
【補正対象項目名】００２３
【補正方法】変更
【補正の内容】
【００２３】
［実施形態の効果］
（１）上述した実施形態の電子鍵盤楽器１を実施すれば、従来のように、スピーカカバーを棚板１９上に設ける必要がなく、バスレフポート１７，１８が棚板１９から起立しているだけであるため、棚板１９上に設ける電気回路基板および配線などの設置スペースを広く取ることができる。
さらに、バスレフポート１７、１８が棚板１９の上面に起立しており、バスレフポート１７、１８をスピーカー２４の収容された収容体９の下側ではなく、棚板のある収容体９の上側につけたため、バスレフポート１７，１８から上方へ放音された低音を効率的に奏者に届けることができる。